(57)【要約】【課題】電装品ユニットの配置の選択肢が拡がる空調室内機を提供する。【解決手段】空調室内機は、第３フレーム２３と、室内熱交換器と、第１電装品ユニット１７とを備える。室内熱交換器は、吸込口１２ａから吸い込まれた室内空気と熱交換する。第１電装品ユニット１７の内部には、電装品が収容されている。そして、第３フレーム２３は、主支持部２３２，２３３を有している。主支持部２３２，２３３の前端部は、メンテナンス時に第１電装品ユニット１７の姿勢を変えることができるように、第１電装品ユニット１７を移動可能に支持する。【選択図】図６
2014066484.tif 000002
【特許請求の範囲】
【請求項１】
吸込口（１２ａ）および吹出口（１２ｂ）が形成されたフレーム（１２）と、
前記吸込口から吸い込まれた室内空気と熱交換する熱交換器（１３）と、
内部に電装品が収容されている第１電装品ユニット（１７）と、
を備え、
前記フレーム（１２）は、メンテナンス時に前記第１電装品ユニットの姿勢を変えることができるように前記第１電装品ユニットを移動可能に支持する第１支持部（２３３ａ）、を有している、
空調室内機（１０）。
【請求項２】
前記第１電装品ユニットは、回転軸部（７３）を有し、
前記第１支持部（２３３ａ）は、前記第１電装品ユニットが前記回転軸部を中心に回転するように、前記回転軸部を回転可能に支持する、
請求項１に記載の空調室内機。
【請求項３】
前記回転軸部（７３）は、円筒形状であり、
前記第１電装品ユニットの中の電装品から前記第１電装品ユニットの外に延びる電線（７９）は、前記回転軸部の内部空間を通っている、
請求項２に記載の空調室内機。
【請求項４】
前記吸込口と前記熱交換器との間に配置され室内空気の塵埃を捕集するフィルタ（１５，５０）をさらに備え、
前記第１電装品ユニットは、前記フィルタの近傍に配置されており、
前記第１支持部は、少なくとも前記第１電装品ユニットの一部がメンテナンス時に前記フィルタから離れるように、前記第１電装品ユニットを移動可能に支持している、
請求項１から３のいずれかに記載の空調室内機。
【請求項５】
前記フィルタおよび前記第１電装品ユニットの正面側に配置される正面パネル（１９）、をさらに備え、
前記フレーム（１２）は、基本姿勢からメンテナンス時の保守姿勢へと回転可能に前記正面パネルを支持する第２支持部（２４２ａ，２４３ａ）をさらに有し、前記第１支持部によって前記第１電装品ユニットを基本姿勢から保守姿勢へと回転可能に支持しており、
前記正面パネルが保守姿勢から基本姿勢に戻されるときに、前記正面パネルが前記第１電装品ユニットを押して、前記第１電装品ユニットが保守姿勢から基本姿勢に戻る、
請求項４に記載の空調室内機。
【請求項６】
前記第１支持部に回転可能に支持される前記第１電装品ユニットの回転中心である第１回転中心（１７ａｘ）は、前記第２支持部に回転可能に支持される前記正面パネルの回転中心である第２回転中心（１９ａｘ）と一致する、あるいは、前記第２回転中心の近傍に位置する、
請求項５に記載の空調室内機。
【請求項７】
前記第１電装品ユニットの正面側に配置され基本姿勢からメンテナンス時の保守姿勢への移動が可能な正面パネル（１９）、をさらに備え、
前記正面パネルは、基本姿勢において前記第１電装品ユニットに当接する当接部（９４，９５）を有しており、
前記正面パネルが保守姿勢から基本姿勢に戻されるときに、前記当接部が前記第１電装品ユニットに当たり、前記第１電装品ユニットが位置決めされる、
請求項１から４のいずれかに記載の空調室内機。
【請求項８】
内部に電装品が収容されている第２電装品ユニット（１８）、
をさらに備え、
前記フレーム（１２）は、前記第２電装品ユニットを移動不能に支持する第３支持部（２１ｂ）、をさらに有している、
請求項１から７のいずれかに記載の空調室内機。
【発明の詳細な説明】
【技術分野】
【０００１】
本発明は、空調室内機に関する。
【背景技術】
【０００２】
空気調和装置には、屋外に設置される室外機と室内に設置される室内機とで構成されるセパレートタイプのものがある。この空気調和装置の空調室内機は、例えば特許文献１（特開２００１−６５９１６号公報）に開示されているようなものであり、室内の壁面等に取り付けられる。
【０００３】
壁掛け式の空調室内機においては、主として天面に吸込口が形成され、下部に吹出口が形成されている。室内空気は、吸込口から吸い込まれ、室内熱交換器を通って冷却あるいは加熱された後、吹出口から室内へと吹き出される。
【発明の概要】
【発明が解決しようとする課題】
【０００４】
ところで、空調室内機の中には、電装品ユニットが配備されている。電装品ユニットは、送風ファン用モータのためのインバータ回路や、室内に置かれたリモコンから赤外線などを用いた無線信号を受けるための受信機といったものを収容するユニットである。他にも、表示用のＬＥＤ、電源、プリント基板に実装された各種電気部品や配線など、多くの部品を含む電装品ユニットは、空調室内機の中で、ある程度の容積を占めることになる。
【０００５】
上述の特許文献１（特開２００１−６５９１６号公報）に開示されている空調室内機は、左右に長い電装品ユニットを備えており、内部空間の前方下部に電装品ユニットが配置されている。また、他の多くの従来の空調室内機では、電装品ユニットを空調室内機の中の側端近傍の空間に位置させることで、空調機能の確保を図ったりフィルタ清掃などのメンテナンスの邪魔にならないようにしている。
【０００６】
しかし、空調室内機において電装品ユニットの配置の選択肢が今よりも拡がれば、さらに多くの機能を搭載したり空調室内機のコンパクト化を図ったりすることが可能になる。
【０００７】
そこで、本発明の課題は、これまでよりも電装品ユニットの配置の選択肢が拡がる空調室内機を提供することにある。
【課題を解決するための手段】
【０００８】
本発明の第１観点に係る空調室内機は、フレームと、熱交換器と、第１電装品ユニットとを備えている。フレームには、吸込口および吹出口が形成されている。熱交換器は、吸込口から吸い込まれた室内空気と熱交換することで、室内空気の温度を変える。第１電装品ユニットの内部には、電装品が収容されている。そして、フレームは、第１支持部を有している。フレームの第１支持部は、メンテナンス時に第１電装品ユニットの姿勢を変えることができるように、第１電装品ユニットを移動可能に支持する。
【０００９】
ここでは、第１支持部が第１電装品ユニットを移動可能に支持し、メンテナンス時に第１電装品ユニットの姿勢を変えることができる。このため、通常の姿勢で固定すると仮定したときにはメンテナンスの邪魔になる位置に、第１電装品ユニットを配置したとしても、メンテナンス時に第１電装品ユニットを移動させて姿勢を変えることで、第１電装品ユニットがメンテナンスの邪魔になることが回避される。すなわち、この空調室内機では、第１電装品ユニットの配置の選択肢が拡がる。
【００１０】
本発明の第２観点に係る空調室内機は、第１観点に係る空調室内機であって、第１電装品ユニットは、回転軸部を有している。そして、第１支持部は、第１電装品ユニットが回転軸部を中心に回転するように、回転軸部を回転可能に支持する。
【００１１】
ここでは、第１電装品ユニットを回転させるという構成を採るため、第１電装品ユニットを移動可能に支持する第１支持部を簡易な構造にすることができる。
【００１２】
本発明の第３観点に係る空調室内機は、第２観点に係る空調室内機であって、回転軸部は、円筒形状である。そして、第１電装品ユニットの中の電装品から第１電装品ユニットの外に延びる電線は、回転軸部の内部空間を通っている。
【００１３】
ここでは、第１電装品ユニットを回転させるという構成を採っているけれども、回転軸部の中に電線を通す構造としているため、電線の長さを短くすることができる。
【００１４】
本発明の第４観点に係る空調室内機は、第１〜第３観点のいずれかに係る空調室内機であって、フィルタをさらに備えている。フィルタは、吸込口と熱交換器との間に配置されており、室内空気の塵埃を捕集する。また、第１電装品ユニットは、フィルタの近傍に配置されている。そして、第１支持部は、少なくとも第１電装品ユニットの一部がメンテナンス時にフィルタから離れるように、第１電装品ユニットを移動可能に支持している。
【００１５】
ここでは、フィルタの交換やフィルタの清掃といったメンテナンス時にも、第１電装品ユニットの姿勢を変えて第１電装品ユニットの一部または全部をフィルタから離すことができるため、メンテナンスが容易になる。また、通常の姿勢ではメンテナンスの邪魔になる位置に第１電装品ユニットを配備することができるため、空調室内機における第１電装品ユニットの配置の選択肢が拡がる。
【００１６】
本発明の第５観点に係る空調室内機は、第４観点に係る空調室内機であって、正面パネルをさらに備えている。正面パネルは、フィルタおよび第１電装品ユニットの正面側に配置される。また、フレームは、第２支持部をさらに有している。第２支持部は、正面パネルを、基本姿勢からメンテナンス時の保守姿勢へと回転可能に支持する。フレームは、また、第１支持部によって、第１電装品ユニットを基本姿勢から保守姿勢へと回転可能に支持している。そして、この空調室内機では、正面パネルが保守姿勢から基本姿勢に戻されるときに、正面パネルが第１電装品ユニットを押して、第１電装品ユニットが保守姿勢から基本姿勢に戻る。
【００１７】
一般に、空調室内機では、可動の正面パネルが備えられ、その正面パネルを回動させて開いた状態で内部のメンテナンスを行うことが多い。
【００１８】
本発明の第５観点に係る空調室内機では、正面パネルおよび第１電装品ユニットを共に回転可能に支持し、正面パネルが保守姿勢から基本姿勢に戻されるときに、正面パネルが第１電装品ユニットを押すという構成を採っている。これにより、正面パネルが保守姿勢から基本姿勢に戻ると、第１電装品ユニットも保守姿勢から基本姿勢に戻ることになる。このため、この空調室内機では、正面パネルが基本姿勢に戻っていても内部の第１電装品ユニットが保守姿勢のままで残っている、といった不具合が抑えられる。
【００１９】
本発明の第６観点に係る空調室内機は、第５観点に係る空調室内機であって、第１支持部に回転可能に支持される第１電装品ユニットの回転中心は、第１回転中心である。第２支持部に回転可能に支持される正面パネルの回転中心は、第２回転中心である。そして、第１回転中心は、第２回転中心と一致する、あるいは、第２回転中心の近傍に位置する。
【００２０】
ここでは、第１電装品ユニットの第１回転中心が正面パネルの第２回転中心と同じ位置あるいは近い位置にあるため、正面パネルを保守姿勢から基本姿勢に戻す動作によって第１電装品ユニットを保守姿勢から基本姿勢に戻す構造を採りやすくなる。
【００２１】
本発明の第７観点に係る空調室内機は、第１〜第４観点のいずれかに係る空調室内機であって、正面パネルをさらに備えている。正面パネルは、第１電装品ユニットの正面側に配置され、基本姿勢からメンテナンス時の保守姿勢への移動が可能である。また、正面パネルは、基本姿勢において第１電装品ユニットに当接する当接部を有している。そして、正面パネルが保守姿勢から基本姿勢に戻されるときに、当接部が第１電装品ユニットに当たり、第１電装品ユニットが位置決めされる。
【００２２】
ここでは、第１電装品ユニットの位置決め機能を果たす当接部を、正面パネルに持たせている。これにより、第１電装品ユニットがユーザからの無線操作を受信する受信機を備えているような場合であって、受信部の位置がずれると受信感度が低下するような場合においても、位置ズレが抑制されて受信に関する不具合が少なくなる。
【００２３】
なお、第１電装品ユニットが受信部や発信部、表示部などを有しており、且つ、正面パネルがそれらに対応した開口や薄肉部を有している場合、両者の相対位置関係が重要になるが、そのようなときに本発明の第７観点に係る発明は特に有効に働く。
【００２４】
本発明の第８観点に係る空調室内機は、第１〜第７観点のいずれかに係る空調室内機であって、内部に電装品が収容されている第２電装品ユニットをさらに備えている。そして、フレームは、第２電装品ユニットを移動不能に支持する第３支持部をさらに有している。
【００２５】
ここでは、電装品を収容するユニットとして、第１電装品ユニットの他に第２電装品ユニットを設けている。そして、第１電装品ユニットだけを姿勢が変わるように支持し、第２電装品ユニットのほうは固定的に支持している。このため、両方の電装品ユニットを一体化した大きく重いユニットを移動可能に支持する場合に較べて、その支持構造を簡易にすることができ、また第１電装品ユニットを姿勢変化させる移動を小さな力で為すことができるようになる。
【発明の効果】
【００２６】
本発明の第１観点に係る空調室内機によれば、メンテナンス時に第１電装品ユニットを移動させて姿勢を変えることができるため、固定すると仮定したときにはメンテナンスの邪魔になる位置に第１電装品ユニットを配することができ、第１電装品ユニットの配置の選択肢が拡がる。
【００２７】
本発明の第２観点に係る空調室内機によれば、フレームの第１支持部を簡易な構造にすることができる。
【００２８】
本発明の第３観点に係る空調室内機によれば、第１電装品ユニットの中の電装品から第１電装品ユニットの外に延びる電線の長さを、短くすることができる。
【００２９】
本発明の第４観点に係る空調室内機によれば、メンテナンス時に、第１電装品ユニットの姿勢を変えてフィルタから離すことができるため、メンテナンスが容易になる。
【００３０】
本発明の第５観点に係る空調室内機によれば、正面パネルが基本姿勢に戻っていても内部の第１電装品ユニットが保守姿勢のままで残っている、といった不具合が抑えられる。
【００３１】
本発明の第６観点に係る空調室内機によれば、正面パネルを保守姿勢から基本姿勢に戻す動作によって第１電装品ユニットを保守姿勢から基本姿勢に戻す構造が、採りやすくなる。
【００３２】
本発明の第７観点に係る空調室内機によれば、第１電装品ユニットの位置ズレが抑制され、例えば受信に関する不具合が少なくなる。
【００３３】
本発明の第８観点に係る空調室内機によれば、フレームの第１支持部をより簡易にすることができ、また第１電装品ユニットを姿勢変化させる移動を小さな力で為すことができるようになる。
【図面の簡単な説明】
【００３４】
【図１】本実施形態に係る空調室内機を正面側の右斜め上方から見た外観斜視図。
【図２】図１のII-II断面図。
【図３】第１フレームおよび第２フレームを背面側の左斜め下方から見た斜視図。
【図４】第３フレーム、熱交換器およびフィルタユニットを正面側の右斜め上方から見た斜視図。
【図５】フィルタユニットの側面図。
【図６】正面パネルを外した空調室内機を正面側の左斜め上方から見た斜視図。
【図７】第１電装品ユニットおよびその周辺を拡大した図６の一部拡大図。
【図８】第１電装品ユニットの上面図。
【図９】第１電装品ユニットの基本姿勢および保守姿勢を示す、図８のIX-IX断面図。
【図１０Ａ】正面パネルを背面側の右斜め上方から見た斜視図。
【図１０Ｂ】正面パネルの一方の三角リブおよびその周辺を拡大した図１０Ａの一部拡大図。
【図１１Ａ】基本姿勢の第１電装品ユニット、基本姿勢の正面パネルおよび基本姿勢のフィルタユニットを示す側面視概略図。
【図１１Ｂ】基本姿勢の第１電装品ユニット、保守姿勢の正面パネルおよび基本姿勢のフィルタユニットを示す側面視概略図。
【図１１Ｃ】保守姿勢の第１電装品ユニット、保守姿勢の正面パネルおよび基本姿勢のフィルタユニットを示す側面視概略図。
【発明を実施するための形態】
【００３５】
以下、本発明に係る空調室内機について、図面を参照しつつ詳述する。なお、以下の実施形態は、本発明の具体例であって、本発明の技術的範囲を限定するものではない。
【００３６】
（１）構成
図１は、本発明の一実施形態に係る空調室内機１０の外観図である。このセパレート型の空気調和装置の空調室内機１０は、室内の壁面等に取り付けられており、室外に設置されている空調室外機（図示せず）に冷媒配管（図示せず）を介して接続されている。空調室内機１０は、室内の冷房運転、暖房運転に加え、フィルタ５０（図４参照）を自動で清掃する自動清掃運転を行うことができる。
【００３７】
（１−１）全体構成
この空調室内機１０は、図１および図２に示すように、主として、ケーシング２４を含むフレーム１２と、室内熱交換器１３と、室内ファン１４と、フィルタユニット１５と、フィルタ清掃機構１６と、第１電装品ユニット１７と、第２電装品ユニット１８と、正面パネル１９とを備えている。
【００３８】
なお、以下の説明において、「上」「下」「左」「右」「正面」「背面」等の方向を示す表現を適宜用いるが、これらは、空調室内機１０が図１の状態で室内の壁面等に設置された状態での各方向を表す。
【００３９】
（１−２）フレームの構成
フレーム１２は、各機器や各ユニットを支持するものであり、主として、第１フレーム２１と、第２フレーム２２と、第３フレーム２３と、ケーシング２４とから構成されている。
【００４０】
第１フレーム２１および第２フレーム２２は、図２および図３に示すように、主として背面側に配置される支持構造体である。吹出口１２ｂへと吹出空気を導くスクロール面２１ａを形成する第１フレーム２１が、室内の壁面に設置された取り付け板２９に取り付けられる。また、第１フレーム２１および第２フレーム２２は、室内熱交換器１３や室内ファン１４を固定的に支持するとともに、正面視右側に形成される電装品支持部２１ｂによって、第２電装品ユニット１８を固定的に支持する。
【００４１】
第３フレーム２３は、図１や図４に示すように、室内熱交換器１３の上方に位置し、第１フレーム２１から前方に延びている。第３フレーム２３には、前後方向に延びる３つの第１〜第３主支持部２３１，２３２，２３３が形成されている。これらの第１〜第３主支持部２３１，２３２，２３３は、フィルタユニット１５を支持する役割、第１電装品ユニット１７を支持する役割、ケーシング２４を支持する役割、フィルタ清掃機構１６を支持する役割などを果たす。
【００４２】
第１〜第３主支持部２３１，２３２，２３３には、図５に示すフィルタユニット１５の側面視形状に沿ったガイド溝が形成されており、それらのガイド溝に沿ってフィルタユニット１５は正面側から背面側へと挿入され、また脱着時には背面側から正面側へとフィルタユニット１５が取り外される（図１１Ｃの点線で示すフィルタユニット１５を参照）。
【００４３】
また、図４に示すように、第２主支持部２３２の前端部には、軸受け孔２３２ａとストッパ面２３２ｂとが形成されており、第３主支持部２３３の前端部には、軸受け部２３３ａが形成されている。軸受け孔２３２ａおよび軸受け部２３３ａは、後述する第１電装品ユニット１７の左回転軸部７２および右回転軸部７３を回転可能に支持（軸支）する。
【００４４】
ケーシング２４は、後述する正面パネル１９や水平フラップ９７，９８とともに空調室内機１０の外観面を構成する。また、ケーシング２４は、後述する正面パネル１９を開閉可能に支持する役割も果たす。このケーシング２４は、図１および図６に示すように、天面部２４１、左側面部２４２、右側面部２４３などから構成されている。左側面部２４２の前端上部には、正面パネル１９の左軸部９２ａを軸支する左軸受け部２４２ａが形成されており、右側面部２４３の前端上部には、正面パネル１９の右軸部９３ａを軸支する右軸受け部２４３ａが形成されている（図６参照）。
【００４５】
これらの第１フレーム２１、第２フレーム２２、第３フレーム２３、ケーシング２４などから構成されるフレーム１２は、図１および図２に示すように、上部の吸込口１２ａと下部の吹出口１２ｂとを形成している。なお、この空調室内機１０は下部にも吸込口を持つものとなっているが、下部の吸込口については説明を省略する。
【００４６】
（１−３）室内熱交換器の構成
室内熱交換器１３は、多数のフィンと多数の伝熱管とで構成され、上述のようにフレーム１２に固定されている。室内熱交換器１３は、空調室内機１０の運転状態に応じて蒸発器または凝縮器として機能し、内部を流れる冷媒と外部を通過する空気（室内空気）との間で熱交換を行わせる。
【００４７】
室内熱交換器１３は、図２に示すように、側面視において略逆Ｖ字型の形状を有し、前後の各熱交換部に挟まれた空間に室内ファン１４が位置している。
【００４８】
（１−４）室内ファンの構成
室内ファン１４は、図１に示すＷ方向に長く延びる略円筒形状のクロスフローファンである。室内ファン１４が回ると、室内空気が吸込口１２ａから吸い込まれ、室内熱交換器１３を通過し、吹出口１２ｂから室内へと熱交換後の空気が供給される。
【００４９】
（１−５）フィルタユニットの構成
フィルタユニット１５は、図２に示すように、上部の吸込口１２ａと室内熱交換器１３との間に配置されており、室内空気の塵埃を捕集する役割を果たす。室内熱交換器１３に対して室内空気の流れ方向の上流側に配置されるフィルタユニット１５は、図４に示すように左右それぞれに設けられ、上述のように第３フレーム２３に着脱可能に装着される。フィルタユニット１５は、図５に示すように、側面視において上に凸に湾曲した形状を有し、運転時の基本姿勢のときに、逆Ｖ字型の室内熱交換器１３を覆う。
【００５０】
フィルタユニット１５は、主として、ローラ５１と、後端ロッド５２と、支持枠５３と、フィルタ５０とから構成されている。フィルタ５０は、例えば、樹脂製の糸で平織りまたは綾織された網であって、無端ベルト状に成形され、支持枠５３に掛け渡されている。また、フィルタ５０は、前端に位置するローラ５１で折り返され、また後端ロッド５２で折り返されている。ローラ５１の周面には、いわゆるパイル織りされた織物基布が貼り付けられている。ローラ５１の周面における織物基布はフィルタ５０の網目に入り込んでおり、ローラ５１とフィルタ５０との間には滑りが生じ難くなっている。ローラ用のモータ５９（図４参照）が駆動されると、ローラ５１が回転し、フィルタ５０が周回する。
【００５１】
また、フィルタユニット１５には、その着脱時にユーザが持ちやすいように、取っ手となるタブ１５ａが設けられている。
【００５２】
（１−６）フィルタ清掃機構の構成
フィルタ清掃機構１６は、図２に示すように、フィルタユニット１５の前端のローラ５１の下方に位置している。フィルタ清掃機構１６は、主として、ブラシ６１と、そのブラシ６１から落ちる塵埃を受けて溜めるダストボックス６２とを有する。ブラシ６１は、フィルタユニット１５のフィルタ５０が周回しているときに、ローラ５１とブラシ６１との間のフィルタ５０の一部分（フィルタ５０の折り返し部）から塵埃を剥ぎ取る。すなわち、ブラシ６１は、フィルタ５０に付いている塵埃を、自身の多数の毛によって回収する。ブラシ６１は、ステッピングモータ６９（図４参照）の駆動によって回転することができる。ブラシ６１が回転すると、ブラシ６１の毛と接触する櫛部材がブラシ６１に付いた塵埃を絡め捕り、ダストボックス６２の中へと塵埃を落とす。ダストボックス６２は、図６に示すように、空調室内機１０の長手方向（図１のＷ方向）に沿った細長い形状を有している。ブラシ６１は、ダストボックス６２に着脱可能に取りつけられている。フィルタ清掃機構１６のブラシ６１の一部は、上方に露出しており、ローラ５１に巻きついているフィルタ５０に直接接触している。
【００５３】
なお、定期的に行われる自動清掃運転では、ブラシ６１が回転するときにはフィルタ５０の周回移動が停止し、逆にフィルタ５０が周回移動しているときにはブラシ６１が回転を停止した状態となる。
【００５４】
（１−７）第１電装品ユニットの構成
第１電装品ユニット１７は、後述する第２電装品ユニット１８とは別に、回転可能な状態で設けられる。図６〜図９に示すように、第１電装品ユニット１７は、空調室内機１０の長手方向（図１のＷ方向）に沿った細長い形状を有しており、空調室内機１０の正面側の右側上部に配置されている。第１電装品ユニット１７の内部には、複数の電装品が収容されている。具体的には、室内に置かれるリモコンからの操作信号を受信する受信機４１、空調室内機１０の運転状態を表示するための４つのＬＥＤ４２、室内に居る人の存在を検知するための２つの人検知センサ４３などが、第１電装品ユニット１７に内蔵されている。受信機４１およびＬＥＤ４２の機能を阻害しないように、第１電装品ユニット１７の本体ケーシング７１には、開口７１ａや透明な透明板部７１ｂが形成されている。また、人検知センサ４３は、本体ケーシング７１から外部に露出している。
【００５５】
第１電装品ユニット１７の本体ケーシング７１の左端からは、さらに左側方に向かって左回転軸部７２が形成されている。左回転軸部７２は、中実の円柱状の突起である。また、第１電装品ユニット１７の本体ケーシング７１の右端からは、さらに右側方に向かって右回転軸部７３が形成されている。右回転軸部７３は、図９に示すように円筒形状を有しており、図８に示すように電線７９が内部を通る。電線７９は、第１電装品ユニット１７の本体ケーシング７１の中にある受信機４１、ＬＥＤ４２、人検知センサ４３などから、電源などを内蔵する第２電装品ユニット１８へと延びている。
【００５６】
また、図６および図７に示す基本姿勢の第１電装品ユニット１７の本体ケーシング７１の下面からは、下方に向いて延びるタブ７４が形成されている。このタブ７４は、後述のように、第１電装品ユニット１７を上に跳ね上げる際に、ユーザが取っ手として利用するために設けられている。
【００５７】
さらに、第１電装品ユニット１７の本体ケーシング７１の左端の前部からは、さらに左側方に向かってストッパ７５が形成されている。薄板状のストッパ７５は、運転時の第１電装品ユニット１７の基本姿勢において、上述の第３フレーム２３のストッパ面２３２ｂに当たっており、回り止めの役割および位置決めの役割を果たす。
【００５８】
（１−８）第２電装品ユニットの構成
第２電装品ユニット１８は、図１および図６に示すように、正面視において室内熱交換器１３や第１電装品ユニット１７の右側に配置されており、左右の幅よりも上下の高さ寸法や前後の奥行き寸法のほうが大きなユニットである。この第２電装品ユニット１８は、第１電装品ユニット１７よりも大きく、電源や制御基板など、第１電装品ユニット１７よりも多くの電装品を収容している。すなわち、空調室内機１０では電装品ユニットが第１電装品ユニット１７と第２電装品ユニット１８とに分かれているが、メインが第２電装品ユニット１８であり、サブが第１電装品ユニット１７である。
【００５９】
この第２電装品ユニット１８は、上述のように、第１フレーム２１の電装品支持部２１ｂに固定されており、取り外さない限り移動させることはできない。
【００６０】
（１−９）正面パネルの構成
正面パネル１９は、図１および図２に示すように、空調室内機１０の前面の上部を構成することになる板状部材である。後述する水平フラップ９７および第２の風向調整フラップ９８の上方に位置し、化粧パネルの役割を果たす。図６は、正面パネル１９を取り外した状態の空調室内機１０を示しているが、正面パネル１９がなければ、フィルタ清掃機構１６のダストボックス６２やフィルタユニット１５、第１電装品ユニット１７などが正面視において露出した状態となる。フィルタユニット１５や第１電装品ユニット１７の正面側に配置される正面パネル１９は、これらをユーザの目線から隠す役割を果たす。
【００６１】
この正面パネル１９は、図１０Ａおよび図１０Ｂに示すように、主として、本体９１と、左連結部９２と、右連結部９３と、左三角リブ９４と、右三角リブ９５とを有している。
【００６２】
本体９１には、図１および図１０Ａに示すように、薄肉部９１ａ，９１ｂ，９１ｃが形成されている。これらの薄肉部９１ａ，９１ｂ，９１ｃは、図７に示す第１電装品ユニット１７の受信機４１、ＬＥＤ４２、人検知センサ４３に対向する位置に形成され、受信機４１の受信機能、ＬＥＤ４２の表示機能、人検知センサ４３の検知機能が大きく損なわれないようにしている。これらの薄肉部９１ａ，９１ｂ，９１ｃは、半透明あるいは透明である。
【００６３】
左連結部９２および右連結部９３は、正面パネル１９をフレーム１２のケーシング２４に装着するための突出部であり、それぞれの後端に、左軸部９２ａ、右軸部９３ａが形成されている。左軸部９２ａおよび右軸部９３ａは、左右方向に短く延びる円柱形状を有しており、上述のように、ケーシング２４の左軸受け部２４２ａおよび右軸受け部２４３ａに挿入される。これにより、左連結部９２および右連結部９３を介して正面パネル１９の本体９１がケーシング２４に回転自在に支持されるようになる。なお、ケーシング２４の左軸受け部２４２ａおよび右軸受け部２４３ａによる正面パネル１９の軸支は、メンテナンス時にも解除されることはなく、サービスパーソン以外のユーザなどが正面パネル１９をフレーム１２から取り外すことは、想定されていない。
【００６４】
左三角リブ９４および右三角リブ９５は、本体９１の裏面から背面側に向けて突出する三角形状のリブであり、背面側にいくほど先が尖る形状をしている。左三角リブ９４および右三角リブ９５は、図１や図２に示すように正面パネル１９が運転時の基本姿勢を採るときに、第１電装品ユニット１７の本体ケーシング７１の左前端および右前端に当接する。そして、左三角リブ９４および右三角リブ９５は、第１電装品ユニット１７の左右位置を決める役割、すなわち位置決め部材としての役割を果たす。後述のように、正面パネル１９は、図１１Ｂに示す保守姿勢と、図１１Ａに示す基本姿勢との間で回転することで開閉するが、保守姿勢から基本姿勢に戻るときに、左三角リブ９４および右三角リブ９５は、第１電装品ユニット１７を押して、第１電装品ユニット１７の位置決め動作を行うことになる。
【００６５】
（１−１０）その他の構成
上述した他に、空調室内機１０は、室内ファン１４のモータやフラップ用モータ、上述のモータ５９，６９、などの各種機器の制御を行うマイクロコンピュータ（図示せず）を備えている。マイクロコンピュータは、ＣＰＵやメモリで構成され、第２電装品ユニット１８の中に配置される制御基板に実装されている。
【００６６】
また、フレーム１２に形成されている下部の吹出口１２ｂには、水平フラップ９７や図示しない垂直フラップが配置されている。水平フラップ９７の上方には、第２の風向調整フラップ９８も配備されている。
【００６７】
（２）フレームによる第１電装品ユニットおよび正面パネルの支持構造の詳細
図６に示すように右のフィルタユニット１５の近傍（正面側）に配置されている第１電装品ユニット１７は、フレーム１２の第３フレーム２３からフィルタユニット１５を正面側に抜き出すメンテナンスの際に邪魔になる。このため、空調室内機１０では、第１電装品ユニット１７を、基本姿勢において正面を向いている面（開口７１ａが形成された左右上下に広い面）が上を向くように、回転可能な状態でフレーム１２に支持させている。すなわち、図９に実線で示すように基本姿勢において開口７１ａが形成された面が正面を向いている状態から、点線で示すような開口７１ａが形成された面が上を向く保守姿勢の状態に変わるように、左回転軸部７２および右回転軸部７３を中心に第１電装品ユニット１７が回転して上に跳ね上がるような構造を採用している。
【００６８】
第１電装品ユニット１７の左回転軸部７２および右回転軸部７３のうち、中実の左回転軸部７２は、単に第３フレーム２３の軸受け孔２３２ａに挿入され、軸支されている。一方、右回転軸部７３は、図９に示すように円筒形状であり、且つ、その外周面の２箇所に切り欠き部７３ｐが形成されている。２つの切り欠き部７３ｐは、約９０°離れている。この右回転軸部７３を受ける第３フレーム２３の軸受け部２３３ａにも、これらの切り欠き部７３ｐに対応する内方突起部２３３ｐが１つ形成されている。この内方突起部２３３ｐは、第１電装品ユニット１７が基本姿勢のときに一方の切り欠き部７３ｐに引っ掛かり、第１電装品ユニット１７が保守姿勢のときにも他方の切り欠き部７３ｐに引っ掛かる。これにより、メンテナンス時に保守姿勢になる第１電装品ユニット１７の跳ね上げられた状態が保持され、ユーザが手を離しただけでは第１電装品ユニット１７が基本姿勢に戻らなくなる。但し、図９に示すように、内方突起部２３３ｐが切り欠き部７３ｐに浅く引っ掛かるため、第１電装品ユニット１７のタブ７４を持ち、少し力を入れて下に引けば、引っ掛かりが解けて第１電装品ユニット１７は保守姿勢から基本姿勢に戻る。また、基本姿勢にある第１電装品ユニット１７のタブ７４を持って、力を入れて斜め前方に持ち上げれば、右回転軸部７３と軸受け部２３３ａとが相対回転し、第１電装品ユニット１７は保守姿勢へと移行する。
【００６９】
以上、図９および図１１Ａ〜図１１Ｃに示すように、第３フレーム２３の軸受け孔２３２ａおよび軸受け部２３３ａは、第１電装品ユニット１７のタブ７４に近い部分がメンテナンス時にフィルタユニット１５から離れるように、第１電装品ユニット１７を回転移動可能に支持している。
【００７０】
次に、正面パネル１９の支持構造であるが、正面パネル１９の左軸部９２ａはケーシング２４の左軸受け部２４２ａに軸支され、正面パネル１９の右軸部９３ａはケーシング２４の右軸受け部２４３ａに軸支されている。そして、図１０Ａに示す正面パネル１９の回転中心１９ａｘは、図８に示す第１電装品ユニット１７の回転中心１７ａｘと一致している（図９参照）。すなわち、正面パネル１９も第１電装品ユニット１７も、同じ回転中心１９ａｘ，１７ａｘの周りを回転する。
【００７１】
（３）フィルタユニット着脱時における第１電装品ユニットおよび正面パネルの動き
次に、図１１Ａ〜図１１Ｃを参照して、フィルタユニット１５を手洗いするためにフィルタユニット１５を取り外したり装着したりする動き、具体的には、そのメンテナンス時の第１電装品ユニット１７および正面パネル１９の動きについて、まとめて説明を行う。
【００７２】
上述のように、フレーム１２の第３フレーム２３の軸受け孔２３２ａおよび軸受け部２３３ａは、メンテナンス時に第１電装品ユニット１７の姿勢を基本姿勢から保守姿勢に変えることができるように、第１電装品ユニット１７を回転移動可能に支持している。また、フレーム１２のケーシング２４の左軸受け部２４２ａおよび右軸受け部２４３ａは、第１電装品ユニット１７の回転中心１７ａｘと一致する回転中心１９ａｘにある左連結部９２および右連結部９３が回転軸となって正面パネル１９が回るように、それらの左連結部９２および右連結部９３を支持している。
【００７３】
図１１Ａにおいて実線で示す第１電装品ユニット１７および正面パネル１９は、それぞれ運転（冷房運転や暖房運転）のときの基本姿勢を採っている。メンテナンス時には、ユーザが、まず正面パネル１９の下部を斜め上方に持ち上げる。これにより、図１１Ａにおいて点線で、図１１Ｂにおいて実線で示す保守姿勢に、正面パネル１９が回転移動する。しかし、図１１Ｂにおいて実線で示す状態、すなわち正面パネル１９が保守姿勢の位置にあり、第１電装品ユニット１７が基本姿勢の位置にある状態では、第１電装品ユニット１７が邪魔になって、ユーザはフィルタユニット１５のタブ１５ａ（図５および図６参照）を上に引き上げることができない。言い換えれば、第１電装品ユニット１７が基本姿勢の位置にあると、左側のフィルタユニット１５をフレーム１２から引き抜くことはできない。
【００７４】
そこで、ユーザは、図１１Ｂにおいて実線で示す状態から、第１電装品ユニット１７の下部（タブ７４）を斜め上方に引いて持ち上げることになる。これにより、図１１Ｂにおいて点線で、図１１Ｃにおいて実線で示す保守姿勢に、第１電装品ユニット１７が回転移動する。第１電装品ユニット１７および正面パネル１９の両方が、図１１Ｃにおいて実線で示す保守姿勢になると、フィルタユニット１５のタブ１５ａを上に引き上げることができるスペースが生まれる。この図１１Ｃに示す状態になってから、ユーザは、第１電装品ユニット１７が保守姿勢になったことで生まれたスペースを利用して、フィルタユニット１５を少し持ち上げて手前（正面側）に引き抜いて取り外す。
【００７５】
その後、手洗いによって普段の自動清掃運転では取り切れない汚れをフィルタユニット１５のフィルタ５０から取り除いたユーザは、再びフィルタユニット１５を、フレーム１２の第３フレーム２３に形成されたガイド溝に沿って、正規の位置へと挿入する。図１１Ｃの実線で示す正規の位置まで挿入してフィルタユニット１５をセットした後、ユーザは、第１電装品ユニット１７のタブ７４を下げて、図９および図１１Ｂにおいて実線で示す基本姿勢に第１電装品ユニット１７を戻し、さらに正面パネル１９を保守姿勢から基本姿勢へ戻す。但し、もしもユーザが第１電装品ユニット１７を基本姿勢に戻すことを忘れ、第１電装品ユニット１７が保守姿勢である図１１Ｃの状態から先に正面パネル１９を基本姿勢に戻そうとした場合でも、正面パネル１９の裏面が第１電装品ユニット１７を押し回し、正面パネル１９および第１電装品ユニット１７が、同時に回転中心１９ａｘ，１７ａｘを中心に回転し、ともに図１１Ａにおいて実線で示す基本姿勢に戻る。また、正面パネル１９が基本姿勢に戻ると、上述のように第１電装品ユニット１７の左前端および右前端に正面パネル１９の左三角リブ９４および右三角リブ９５が両サイドから当たり、基本姿勢における第１電装品ユニット１７が左右から規制された状態となる。すなわち、正面パネル１９の左三角リブ９４および右三角リブ９５によって第１電装品ユニット１７が位置決めされる。なお、基本姿勢になると第１電装品ユニット１７のストッパ７５がフレーム１２のストッパ面２３２ｂに当たり、第１電装品ユニット１７のそれ以上の背面側への移動が規制される。
【００７６】
（４）特徴
（４−１）
空調室内機１０では、フレーム１２の軸受け孔２３２ａおよび軸受け部２３３ａが、第１電装品ユニット１７を移動可能に支持し、メンテナンス時に第１電装品ユニット１７の姿勢を変えることができる。このため、第１電装品ユニット１７を、通常の運転時における基本姿勢のときにはメンテナンスの邪魔になる位置（図１１Ｂの実線で示す位置）に配置しても、メンテナンス時に第１電装品ユニット１７を移動させて保守姿勢に変えることで、第１電装品ユニット１７がメンテナンスの邪魔になることが回避される。すなわち、この空調室内機１０では、第１電装品ユニット１７の配置の選択肢が拡がっており、電装品ユニットを固定装着するという通常の発想では為し得なかった第１電装品ユニット１７の配置が実現されている。
【００７７】
（４−２）
第１電装品ユニット１７を基本姿勢の位置から上方にスライド移動（平行移動）させる構造を採ることも考えられるが、上記の空調室内機１０では、第１電装品ユニット１７を回転させるという構成を採っている。このため、第１電装品ユニット１７を支持するフレーム１２の第３フレーム２３の軸受け孔２３２ａおよび軸受け部２３３ａのような簡易な構造で、メンテナンス時に第１電装品ユニット１７を邪魔にならない位置に回避させることができている。
【００７８】
（４−３）
空調室内機１０では、第１電装品ユニット１７を回転させるという構成を採っているため、移動する分だけ第１電装品ユニット１７と第２電装品ユニット１８とを結ぶ電線７９を長くすることが考えられる。
【００７９】
しかし、この空調室内機１０では、第２電装品ユニット１８側にある第１電装品ユニット１７の右回転軸部７３を円筒状に形成し、その右回転軸部７３の内部を電線７９が通るという構成を採っている。このため、電線７９の長さを短くすることができている。
【００８０】
（４−４）
空調室内機では、一般に可動の正面パネルが配備され、その正面パネルを回動させて開く構造が採られている。
【００８１】
これに対し、上記の空調室内機１０では、正面パネル１９だけではなく、第１電装品ユニット１７も回転可能に支持するとともに、正面パネル１９が保守姿勢から基本姿勢に戻されるときに、正面パネル１９が第１電装品ユニット１７を押すような構成を採っている。これにより、正面パネル１９が保守姿勢から基本姿勢に戻ると、第１電装品ユニット１７も保守姿勢から基本姿勢に戻るようになっている。このため、この空調室内機１０では、正面パネル１９が基本姿勢に戻っていても内部の第１電装品ユニット１７が保守姿勢のままで残っている、といった不具合が生じない。また、第１電装品ユニット１７が保守姿勢から基本姿勢に完全には戻っていない場合にも、正面パネル１９を保守姿勢から基本姿勢に戻せば、自動的に第１電装品ユニット１７も基本姿勢に完全に戻る。
【００８２】
（４−５）
空調室内機１０では、図９に示すように、第１電装品ユニット１７の回転中心１７ａｘが正面パネル１９の回転中心１９ａｘと同じ位置にあるため、正面パネル１９を保守姿勢から基本姿勢に戻す動作によって第１電装品ユニット１７が自然に保守姿勢から基本姿勢に戻る。
【００８３】
（４−６）
空調室内機１０では、第１電装品ユニット１７の位置決め機能を果たす左三角リブ９４および右三角リブ９５を、正面パネル１９に設けている。このため、ユーザからの無線操作を受信する受信機４１や運転状況をユーザに表示するＬＥＤ４２を第１電装品ユニット１７が備えているけれども、それらの電装品の左右位置が正規の位置からずれることが殆どない。このような構成により、受信機４１の受信感度が低下したりＬＥＤ４２の表示が見づらくなったりする不具合も少なくなっている。
【００８４】
また、正面パネル１９の、第１電装品ユニット１７の受信機４１、ＬＥＤ４２、人検知センサ４３に対向する位置には、薄肉部９１ａ，９１ｂ，９１ｃが形成されている。したがって、受信機４１、ＬＥＤ４２、人検知センサ４３の左右位置と、薄肉部９１ａ，９１ｂ，９１ｃの左右位置とが合致している必要があるが、ここでは位置決め機能を果たす左三角リブ９４および右三角リブ９５を正面パネル１９に設けているため、十分な位置精度が確保されている。
【００８５】
（４−７）
空調室内機１０では、電装品を収容するユニットとして、第１電装品ユニット１７の他に第２電装品ユニット１８を設けている。そして、第１電装品ユニット１７だけを姿勢が変わるように回転可能に支持させ、第２電装品ユニット１８のほうはフレーム１２に固定している。このため、両方の電装品ユニット１７，１８を一体化した大きく重いユニットを移動可能にフレーム１２に支持させる場合に較べて、その支持構造を簡易にすることができている。また、内部容積も大きいメインの第２電装品ユニット１８を固定し、小さい第１電装品ユニット１７のほうを姿勢変化させる構成としているため、その姿勢変化のための第１電装品ユニット１７の移動（回転）を小さな力で為すことができるようになっており、メンテナンス時にユーザが強い力を掛ける必要がなくなっている。
【００８６】
（５）変形例
上記実施形態に係る空調室内機１０では、第１電装品ユニット１７の回転中心１７ａｘと正面パネル１９の回転中心１９ａｘとを合致させているが、それらの回転中心１７ａｘ，１９ａｘが近い位置にあるという構成を採っても良い。この場合にも、正面パネルを保守姿勢から基本姿勢に戻す動作によって、第１電装品ユニットを保守姿勢から基本姿勢に戻すことができる。
【符号の説明】
【００８７】
１０    空調室内機
１２    フレーム
１２ａ    吸込口
１２ｂ    吹出口
１３    室内熱交換器
１５    フィルタユニット（フィルタ）
１７    第１電装品ユニット
１７ａｘ    第１電装品ユニットの回転中心（第１回転中心）
１８    第２電装品ユニット
１９    正面パネル
１９ａｘ    正面パネルの回転中心（第２回転中心）
２１    第１フレーム
２１ｂ    第１フレームの電装品支持部（フレームの第３支持部）
５０    フィルタ
７２    第１電装品ユニットの左回転軸部（回転軸部）
７３    第１電装品ユニットの右回転軸部（回転軸部）
９４    正面パネルの左三角リブ（正面パネルの当接部）
９５    正面パネルの右三角リブ（正面パネルの当接部）
２３２ａ    フレームの第３フレームの軸受け孔（フレームの第１支持部）
２３３ａ    フレームの第３フレームの軸受け部（フレームの第１支持部）
２４２ａ    フレームのケーシングの左軸受け部（フレームの第３支持部）
２４３ａ    フレームのケーシングの右軸受け部（フレームの第３支持部）
【先行技術文献】
【特許文献】
【００８８】
【特許文献１】特開２００１−６５９１６号公報
【図１】
2014066484.tif 000003
【図２】
2014066484.tif 000004
【図３】
2014066484.tif 000005
【図４】
2014066484.tif 000006
【図５】
2014066484.tif 000007
【図６】
2014066484.tif 000008
【図７】
2014066484.tif 000009
【図８】
2014066484.tif 000010
【図９】
2014066484.tif 000011
【図１０Ａ】
2014066484.tif 000012
【図１０Ｂ】
2014066484.tif 000013
【図１１Ａ】
2014066484.tif 000014
【図１１Ｂ】
2014066484.tif 000015
【図１１Ｃ】
2014066484.tif 000016